(57)【要約】【課題】使用者に対して清潔な取り分け具を提供することが可能な取り分け具用スタンドを提供する。【解決手段】食料品を取り分けるための取り分け具を収容可能な収納空間を有する収納本体と、収納空間の挿入口を開閉可能に構成された蓋部材とを備え、蓋部材は、収納空間に取り出し具が収納された状態において、該収納空間の挿入口を開口状態とし、収納空間から取り出し具が取り出された状態において、該収納空間の挿入口を閉塞状態とするよう構成されている。【選択図】図１
2020058405.tif 000002
【特許請求の範囲】
【請求項１】
食料品を取り分けるための取り分け具を収容可能な収納空間を有する収納本体と、
前記収納空間の挿入口を開閉可能に構成された蓋部材と
を備え、
前記蓋部材は、前記収納空間に前記取り出し具が収納された状態において、該収納空間の前記挿入口を開口状態とし、前記収納空間から前記取り出し具が取り出された状態において、該収納空間の前記挿入口を閉塞状態とするよう構成されている
ことを特徴とする取り分け具用スタンド。
【請求項２】
前記蓋部材は、前記挿入口の上端縁部に回動可能に軸支されており、
前記取り分け具を前記収納本体から取り出すことで自重により回動し、前記挿入口を閉塞するよう構成されている
ことを特徴とする請求項１に記載の取り分け具用スタンド。
【請求項３】
前記蓋部材は、前記挿入口を閉塞した状態において該挿入口の下端縁部に係止可能な大きさを有している
ことを特徴とする請求項１又は２に記載の取り分け具用スタンド。
【請求項４】
前記収納本体は、前記挿入口の上端縁部に、該挿入口の下端縁部に向けて延出したフランジ部を有しており、
前記蓋部材は、前記フランジ部よりも前記収納空間側に軸支されており、
前記フランジ部は、前記蓋部材の回動範囲を規制するよう構成されている
ことを特徴とする請求項１〜３いずれか１項に記載の取り分け具用スタンド。
【請求項５】
前記収納本体は、前記挿入口を有する開口側部材と、前記収納空間を有する収納側部材とを備え、
前記開口側部材と前記収納側部材は、分離可能に構成されている
ことを特徴とする請求項１〜４いずれか１項に記載の取り分け具用スタンド。
【請求項６】
前記収納側部材は、ワイヤー製の籠部材を備える
ことを特徴とする請求項５に記載の取り分け具用スタンド。
【請求項７】
前記収納本体は、前記収納空間を複数有し、
前記蓋部材は、前記複数の収納空間の各挿入口にそれぞれ設けられている
ことを特徴とする請求項１〜６いずれか１項に記載の取り分け具用スタンド。
【発明の詳細な説明】
【技術分野】
【０００１】
本発明は、食料品を取り分けるための使用前の取り分け具を保持する取り分け具用スタンドに関するものである。
【背景技術】
【０００２】
従来、例えばスーパーマーケットやデパート等においては、図１４に示すように、食品売り場に設置された対面ケース等の載置台２内に例えばパン、コロッケ等の各種惣菜、精肉及び鮮魚等の各種ばら売り商品等（以下、これらを総称して「食料品４」という）が未包装の状態で陳列されており、購入者が食料品４の購入を希望する場合には、トング６等の取り分け具を用いて好みの食料品４を好きな量だけポリパック等の容器に取り分け、その容器をレジまで持参するというセルフサービス形式の販売が行われている。このような食品売り場において、食料品を取り分けるためのトング６は、載置台２内に設けられたＴ字状の支持具（トングハンガー）１００や、例えば特許文献１に記載されたようなトング受具等に多数備え付けられている。
【先行技術文献】
【特許文献】
【０００３】
【特許文献１】特開平１１−２９９６２３号公報
【発明の概要】
【発明が解決しようとする課題】
【０００４】
しかしながら、上述のようなセルフサービス形式の販売では、トング６を不特定多数の購入者が使い回すものであり、また、床に落ちたトング６がそのまま戻されてしまうおそれがあるため、不衛生であるという問題がある。また、トング６の把持部分に食料品４の油やタレ等の汚れが付着する場合があり、購入者に不快感を与えるおそれがあるという問題がある。さらに、様々な種類の食料品４の取り分けに使い回されるため、食料品４を取り分けた際に付着した油やタレ等の汚れが他の食料品４に付着するという問題がある。
【０００５】
そこで、本発明は、使用者に対して清潔な取り分け具を提供することが可能な取り分け具用スタンドを提供することを目的とする。
【課題を解決するための手段】
【０００６】
以上の目的を達成するため、本発明に係る取り分け具用スタンドは、食料品を取り分けるための取り分け具を収容可能な収納空間を有する収納本体と、前記収納空間の挿入口を開閉可能に構成された蓋部材とを備え、前記蓋部材は、前記収納空間に前記取り出し具が収納された状態において、該収納空間の前記挿入口を開口状態とし、前記収納空間から前記取り出し具が取り出された状態において、該収納空間の前記挿入口を閉塞状態とするよう構成されていることを特徴とする。
【０００７】
本発明に係る取り分け具用スタンドにおいて、前記蓋部材は、前記挿入口の上端縁部に回動可能に軸支されており、前記取り分け具を前記収納本体から取り出すことで自重により回動し、前記挿入口を閉塞するよう構成されることが好ましい。
【０００８】
本発明に係る取り分け具用スタンドにおいて、前記蓋部材は、前記挿入口を閉塞した状態において該挿入口の下端縁部に係止可能な大きさを有することが好ましい。
【０００９】
本発明に係る取り分け具用スタンドにおいて、前記収納本体は、前記挿入口の上端縁部に、該挿入口の下端縁部に向けて延出したフランジ部を有しており、前記蓋部材は、前記フランジ部よりも前記収納空間側に軸支されており、前記フランジ部は、前記蓋部材の回動範囲を規制するよう構成されることが好ましい。
【００１０】
本発明に係る取り分け具用スタンドにおいて、前記収納本体は、前記挿入口を有する開口側部材と、前記収納空間を有する収納側部材とを備え、前記開口側部材と前記収納側部材は、分離可能に構成されることが好ましい。
【００１１】
本発明に係る取り分け具用スタンドにおいて、前記収納側部材は、ワイヤー製の籠部材を備えることが好ましい。
【００１２】
本発明に係る取り分け具用スタンドにおいて、前記収納本体は、前記収納空間を複数有し、前記蓋部材は、前記複数の収納空間の各挿入口にそれぞれ設けられることが好ましい。
【発明の効果】
【００１３】
本発明に係る取り分け具用スタンドでは、取り分け具を収納本体から取り出すと蓋部材により挿入口が閉塞されるため、使用済みの取り分け具が収納本体に戻されることを抑制できる。このため、本発明によれば、使用者に対して清潔な取り分け具を提供することが可能な取り分け具用スタンドを提供することができる。
【図面の簡単な説明】
【００１４】
【図１】本発明の第１実施形態に係る取り分け具用スタンドが設置された状態を示す図である。
【図２】第１実施形態に係る取り分け具用スタンドから背面板を取り外した状態を示す図である。
【図３】第１実施形態に係る取り分け具用スタンドの概略断面図である。
【図４】図３に示す取り分け具用スタンドからトングを取り出した状態を示す概略断面図である。
【図５】第１実施形態に係る取り分け具用スタンドを上下反転させた状態を示す図である。
【図６】第１実施形態に係る取り分け具用スタンドを縦配置した状態を示す図である。
【図７】本発明の第２実施形態に係る取り分け具用スタンドの分解図である。
【図８】本発明の第３実施形態に係る取り分け具用スタンドを示す正面斜視図である。
【図９】第３実施形態に係る取り分け具用スタンドの分解状態を示す背面斜視図である。
【図１０】第３実施形態に係る取り分け具用スタンドの組み立て過程を示す背面斜視図である。
【図１１】インナー部材の分解図である。
【図１２】第３実施形態に係る取り分け具用スタンドの概略断面図である。
【図１３】第３実施形態に係る取り分け具用スタンドを上下反転させた状態を示す概略断面図である。
【図１４】従来の食品売り場を示す図である。
【発明を実施するための形態】
【００１５】
［第１実施形態］
次に、本発明の第１実施形態に係る取り分け具用スタンド１について、図面に基づいて説明する。第１実施形態に係る取り分け具用スタンド１は、図１に示すように、例えば対面ケース等の載置台２に陳列された各種ばら売り商品等（食料品４）の近傍に設けられ、食料品４を取り分けるための使用前の取り分け具を購入者に提供する用途で用いられるものである。以下、食料品４を取り分けるために使用される取り分け具として、トング６を例に挙げて説明する。
【００１６】
第１実施形態に係る取り分け具用スタンド１は、図１に示すように、食料品４を取り分けるための使用前のトング６を複数保持可能な収納本体１０と、収納本体１０の挿入口１２にそれぞれ設けられた蓋部材２０とを備えている。
【００１７】
収納本体１０は、図１及び図２に示すように、プラスチック等の材料からなる直方体状の箱体であり、その正面に複数の挿入口１２が形成されると共に、該挿入口１２と整合するよう内部が区分けされることで、該挿入口１２と連通する収納空間１４が挿入口１２と同数形成されている。なお、第１実施形態では、挿入口１２及び収納空間１４が８つ形ずつ成され、８つのトング６を保持可能に構成されているが、これに限定されず、挿入口１２及び収納空間１４の数、すなわちトング６の保持数は、任意に変更可能である。また、収納本体１０の形状並びに挿入口１２及び収納空間１４の形状は、図示の形状に限定されず、種々の形状を採用可能である。
【００１８】
また、収納本体１０は、図１等に示すように、右側面１０ａ（図１参照）及び左側面１０ｂ（図５参照）にそれぞれ把持用の把持孔１６が形成されており、持ち運びや後述する上下の反転操作が容易となるよう構成されている。さらに、収納本体１０は、図２に示すように、その背面を形成する背面板１０ｃが取り外し可能に構成されており、各収納空間１４の清掃が容易となるよう構成されている。
【００１９】
挿入口１２は、図１及び図３に示すように、トング６を挿脱可能な大きさを有する矩形状の貫通孔であり、その上端縁部に、該挿入口１２の下端縁部に向けて僅かに延出したフランジ部１３が設けられている。フランジ部１３は、蓋部材２０が開き方向（閉塞方向とは反対の方向）に過剰に回動することを防止するストッパとして機能するよう構成されている。具体的には、フランジ部１３は、蓋部材２０が収納本体１０の正面に対して開き方向に９０°以上回動しないよう、蓋部材２０の回動範囲を規制するよう構成されている。なお、フランジ部１３は、挿入口１２の上端縁部の全域に形成されていても良いし、上端縁部の一部のみに形成されていても良い。
【００２０】
収納空間１４は、図３に示すように、挿入口１２毎に形成された筒状の空間であり、挿入口１２を介して収納本体１０内に挿入されたトング６を保持可能に構成されている。具体的には、収納空間１４は、トング６の全長の約４分の１〜４分の３程度の奥行きを有しており、これにより、トング６の把持部分が挿入口１２から露出した状態でトング６を収納可能に構成されている。なお、ここでいうトング６の全長とは、トング６における食料品４を挟む側の先端から購入者が把持する側の基端までの距離を意味する。
【００２１】
蓋部材２０は、図１等に示すように、それぞれ、プラスチック等の材料からなる平板であり、挿入口１２の上端縁部におけるフランジ部１３よりも収納空間１４側において、その上端部が回動可能に軸支されている。具体的には、蓋部材２０は、図３及び図４に示すように、その上端部に左右一対の突起（図示せず）を有しており、該突起を収納空間１４を画定する左右一対の側壁に形成された孔（図示せず）に遊嵌させることで、自重により回動可能な状態で該側壁間に支持されている。これにより、蓋部材２０は、図３及び図４に示すように、トング６を収納本体１０から取り出すことで自重により回動し、挿入口１２を閉塞するよう構成されている。
【００２２】
また、蓋部材２０は、図４に示すように、挿入口１２を閉塞した状態において該挿入口１２の下端縁部に係止可能な大きさを有しており、これにより、収納空間１４内に入り込むことが防止されるよう構成されている。具体的には、蓋部材２０は、図１及び図５に示すように、左右方向の長さが挿入口１２の左右方向の幅よりも僅かに小さく、かつ、図４に示すように、その上端部から下端部までの長さが挿入口１２の上下方向の幅よりも大きくなるよう形成されている。
【００２３】
次に、第１実施形態に係る取り分け具用スタンド１の使用方法について、説明する。まず、第１実施形態に係る取り分け具用スタンド１は、販売店側のスタッフによって、開店前若しくは開店後の任意のタイミングにおいて、食料品４を載置する載置台２の近傍に設置される。ここで、取り分け具用スタンド１は、買い物客（購入者）の動線の上流側に配置されることが好ましい。
【００２４】
次に、開店前若しくは開店後の任意のタイミングにおいて、販売店側のスタッフによって、収納本体１０の各収納空間１４に使用前のトング６が適宜補充される。収納本体１０に対するトング６の補充方法は、空になった収納空間１４に対応する蓋部材２０を一つずつ手動で持ち上げ、挿入口１２を開放させた状態でトング６を一つずつ補充する方法と、図５に示すように、収納本体１０の上下を反転させ、全ての蓋部材２０を自重で開かせた状態で補充する方法とが例示される。後者の方法の場合には、複数のトング６を一度にまとめて補充することが可能となる。また、収納本体１０の上下を反転させた際、挿入口１２のフランジ部１３によって蓋部材２０の過剰な回動が規制されるため、反転させた状態における上段の蓋部材２０によって下段の挿入口１２が閉塞されることを防止することができると共に、挿入口１２及び収納空間１４内にトング６を挿入する際のガイドとして蓋部材２０を機能させることが可能となる。
【００２５】
収納本体１０の各収納空間１４内にトング６が収納された状態において、蓋部材２０は、図３に示すように、その下端部がトング６に当接した状態で静止し、収納空間１４の挿入口１２を開口状態としている。その後、載置台２に載置されている好みの食料品４をトレー等に移載させるために、購入者が収納本体１０からトング６を引き抜くと、トング６の形状に沿って蓋部材２０が略抵抗無く回動する。このように蓋部材２０が略抵抗無く回動することで、購入者はスムーズにトング６を取り分け具用スタンド１から取り出すことができる。
【００２６】
そして、購入者により収納本体１０からトング６が引き抜かれると、図４に示すように、蓋部材２０が自重によって閉塞方向に回動し、収納本体１０の挿入口１２を閉塞状態とする。すなわち、蓋部材２０は、収納本体１０からのトング６の引き抜き動作を許容し、かつ、収納本体１０へのトング６の戻し動作を規制する逆止弁として機能する。この際、蓋部材２０の下端部が挿入口１２の下端縁部に係止し、収納空間１４内への蓋部材２０の入り込みが規制されているため、逆止弁としての機能がより一層確保されている。これにより、購入者は、使用済みのトング６を収納本体１０に戻すことが容易では無くなり、その結果、取り分け具用スタンド１には常に清潔なトング６のみがストックされることとなる。
【００２７】
その後、購入者は、食料品４をレジまで持参することにより購入する。販売店側のスタッフは、取り分け具用スタンド１が保持する使用前のトング６の個数が減少した場合には、上述した方法により適宜補充する。
【００２８】
以上のとおり、第１実施形態に係る取り分け具用スタンド１は、食料品４を取り分けるためのトング６（取り分け具）を収容可能な収納空間１４を有する収納本体１０と、収納空間１４の挿入口１２を開閉可能に構成された蓋部材２０とを備え、蓋部材２０が、収納空間１４にトング６が収納された状態において、収納空間１４の挿入口１２を開口状態とし、収納空間１４からトング６が取り出された状態において、収納空間１４の挿入口１２を閉塞状態とするよう構成されている。このような構成を備える取り分け具用スタンド１によれば、購入者が汚れたトング６を収納本体１０に戻してしまうことを防止できるため、購入者に対して清潔なトング６を提供することが可能となる。
【００２９】
また、第１実施形態に係る取り分け具用スタンド１は、蓋部材２０が自重により回動することで挿入口１２を閉塞するよう構成されることにより、蓋部材２０の構造を極めて簡素化することが可能となるため、低コストで製造することが可能となる。
【００３０】
さらに、第１実施形態に係る取り分け具用スタンド１は、閉塞状態の蓋部材２０が挿入口１２の下端縁部に係止するよう構成されることにより、収納空間１４内への蓋部材２０の入り込みが規制されるため、蓋部材２０の逆止弁としての機能をより確実に発揮させることが可能となる。
【００３１】
またさらに、第１実施形態に係る取り分け具用スタンド１は、挿入口１２の上端縁部にフランジ部１３が形成されることにより、蓋部材２０が開き方向に過剰に回動することを防止することが可能となる。また、これにより、例えば図５に示すように、収納本体１０の上下を反転させた際に、反転させた状態における上段の蓋部材２０によって下段の挿入口１２が閉塞されることを防止することができると共に、挿入口１２及び収納空間１４内にトング６を挿入する際のガイドとして蓋部材２０を機能させることが可能となる。さらに、例えば図６に示すように、取り分け具用スタンド１を立設して使用した場合において、蓋部材２０が開き方向に倒れないようにすることが可能となる。
【００３２】
本発明に係る取り分け具用スタンドは、上述した実施形態に限定されるものではなく、本発明の技術思想を逸脱しない範囲内において種々の改変を行なうことができる。
【００３３】
例えば、第１実施形態に係る取り分け具用スタンド１では、収納本体１０が、背面板１０ｃを取り外し可能な箱体からなるものとして説明したが、これに限定されず、取り分け具を挿脱可能な挿入口１２及び該挿入口１２に連通する収納空間１４を有するものであれば、種々の構成を採用することが可能である。
【００３４】
［第２実施形態］
このような収納本体の他の一例（第２実施形態）を図７に示す。図７に示す収納本体１０´は、挿入口１２を有する開口側部材３０と、収納空間１４を有する収納側部材４０とを備えており、これら開口側部材３０及び収納側部材４０が互いに分離可能に構成されている。
【００３５】
開口側部材３０は、図７に示すように、プラスチック等の材料から形成されており、複数の挿入口１２を有すると共に、各挿入口１２に蓋部材２０が取り付けられている。開口側部材３０は、収納側部材４０に対して蓋体として機能する部材である。
【００３６】
収納側部材４０は、図７に示すように、開口側部材３０の挿入口１２と整合する位置に収納空間１４を有するインナー部材４２と、インナー部材４２の周囲を覆うアウター部材４４とを備えている。インナー部材４２は、ワイヤー製の籠部材であり、アウター部材４４は、上面及び下面が開放された角筒部材である。インナー部材４２及びアウター部材４４は、互いに分離可能に構成されている。なお、収納側部材４０は、インナー部材４２（ワイヤー製の籠部材）のみで構成されても良い。
【００３７】
以上のような構成を備える第２実施形態に係る取り分け具用スタンドは、第１実施形態に係る取り分け具用スタンド１が有する利点に加え、様々な利点を有する。すなわち、第２実施形態に係る取り分け具用スタンドは、開口側部材３０と収納側部材４０とが互いに分離可能に構成されているため、清掃効率をより一層向上させることが可能となると共に、開口側部材３０を取り外すことで取り分け具の補充を容易に行うことが可能となる。特に、第２実施形態に係る取り分け具用スタンドでは、収納側部材４０にワイヤー製の籠部材を採用することにより、清掃効率が飛躍的に向上する。
【００３８】
［第３実施形態］
さらに他の例（第３実施形態）を図８〜図１３に示す。第３実施形態に係る取り分け具用スタンド１´は、図８に示すように、正面が開口された箱状の収納本体５０と、収納本体５０の正面開口に取り付けられた複数の蓋部材７０とを備えている。
【００３９】
収納本体５０は、図９に示すように、中空の箱状に形成されたアウター部材５２と、アウター部材５２の内部に着脱自在に収納されるインナー部材６０とを備えている。
【００４０】
アウター部材５２は、図９に示すように、ステンレス等の種々の材料からなる直方体状の箱体であり、正面全域が開口され、かつ、背面の下部領域（フランジ部５４）を除く略全域が開口されている。アウター部材５２の上面には、背面側端部から正面側へ向けて延びる切り欠き５６が形成されている。切り欠き５６は、図１０に示すように、アウター部材５２内にインナー部材６０を挿入させる際に、インナー部材６０の後述する縦仕切板６２が通過可能な長さ及び溝幅を有している。背面開口５３の下部に形成されたフランジ部５４は、背面開口５３を介してアウター部材５２内にインナー部材６０を挿脱可能、かつ、アウター部材５２内に収納されたインナー部材６０の意図しない抜け出しを防止することが可能な大きさを有しており、アウター部材５２内に収納されたインナー部材６０に対するストッパとして機能するよう構成されている。アウター部材５２の底面の前面側端部には、収納本体５０の前面側がやや上方に向くよう収納本体５０全体を傾斜させる傾斜部材５８が設けられている。
【００４１】
インナー部材６０は、図９〜図１１に示すように、上下方向に延びる１つの縦仕切板６２と、該縦仕切板６２に取り付けられる複数（本実施形態では３つ）の横仕切板６４とを備えている。縦仕切板６２は、プラスチック等の種々の材料からなる平板であり、上下方向に所定の間隔をおいて、横仕切板６４を取り付けるための複数の切り欠き６３が形成されている。横仕切板６４は、プラスチック等の種々の材料からなるＬ字状の板部材であり、水平方向に延びる水平部６５と、該水平部６５の一端縁から上方に延びる鉛直部６６とを有している。横仕切板６４は、鉛直部６６の上端部から水平部６５の中途部にわたって延びる切り欠き６７を有しており、該切り欠き６７を縦仕切板６２の切り欠き６３に嵌合させることにより、縦仕切板６２に取り付けられるよう構成されている。
【００４２】
また、インナー部材６０は、アウター部材５２の内部に収納されることにより、図１２に示すように、アウター部材５２の正面開口に複数（本実施形態では８つ）の挿入口１２´を形成し、かつ、アウター部材５２の内部に、該挿入口１２´に各々連通する複数（本実施形態では８つ）の収納空間１４´が形成されるよう構成されている。
【００４３】
蓋部材７０は、図８及び図１２等に示すように、それぞれ、ステンレス等の種々の材料からなる平板であり、各挿入口１２´の上端縁部において、その上端部が回転軸７２によって回動可能に軸支されている。具体的には、蓋部材７０は、図１２に示すように、その上端部に左右一対の突起片７４を有しており、該突起片７４には回転軸７２が貫通可能な貫通孔が形成されている。そして、蓋部材７０は、アウター部材５２の側壁間に架け渡された回転軸７２に突起片７４の貫通孔を遊嵌させることで、自重により回動可能な状態で該側壁間に支持されている。これにより、蓋部材７０は、トングを収納本体５０から取り出すことで自重により回動し、挿入口１２´を閉塞するよう構成されている。なお、本実施形態では、１本の回転軸７２に対して２つの蓋部材７０が軸支されているが、これに限定されず、収納本体５０のサイズや仕様に応じて種々変更可能である。
【００４４】
また、蓋部材７０は、図１２に示すように、挿入口１２´を閉塞した状態において該挿入口１２´の下端縁部、具体的には下段の蓋部材７０の上端縁部（最下段の蓋部材７０においてはアウター部材５２の下端縁部）に係止可能な大きさを有しており、これにより、収納空間１４´内に入り込むことが防止されるよう構成されている。具体的には、蓋部材７０は、図８に示すように、左右方向の長さが挿入口１２´の左右方向の幅と略同じで、かつ、図１２に示すように、その上端部から下端部までの長さ（上下方向の長さ）が挿入口１２´の上下方向の幅よりも大きくなるよう形成されている。なお、蓋部材７０の上下方向の長さは、下段の収納空間１４´及び挿入口１２´からトングを取り出す際における下段の蓋部材７０の回動を阻害しない程度に設定されることが好ましい。
【００４５】
さらに、蓋部材７０は、図１３に示すように、回転軸７２の中心から蓋部材７０の上端部までの距離よりも、回転軸７２の中心からインナー部材６０の横仕切板６４の前端縁部までの距離の方が僅かに小さくなるように形成及び配置されている。このような構成を備えることにより、本実施形態に係る取り分け具用スタンド１´は、収納本体５０の上下を反転させ、全ての蓋部材７０を自重で開かせた状態において、蓋部材７０の上端部がインナー部材６０の横仕切板６４の前端縁部（最上段の蓋部材７０においてはアウター部材５２の上端縁部）に当接し、その回動範囲が規制されるよう構成されている。これにより、本実施形態に係る取り分け具用スタンド１´は、上下が反転された状態において、上段の蓋部材７０によって下段の挿入口１２´が閉塞されることが防止されると共に、挿入口１２´及び収納空間１４´内にトングを挿入する際のガイドとして蓋部材７０が機能するよう構成されている。
【００４６】
以上のような構成を備える第３実施形態に係る取り分け具用スタンド１´においても、第１実施形態に係る取り分け具用スタンド１と同様の利点を有する。また、第３実施形態に係る取り分け具用スタンド１´は、アウター部材５２とインナー部材６０とが互いに分離可能に構成され、さらにインナー部材６０が縦仕切板６２と横仕切板６４とに分離可能に構成されているため、清掃効率をより一層向上させることが可能となる。
【００４７】
特に、第３実施形態に係る取り分け具用スタンド１´は、アウター部材５２の背面開口５３に抜け出し防止用のフランジ部５４が形成され、かつ、アウター部材５２の上面に切り欠き５６が形成されることにより、アウター部材５２の背面開口５３に別部品からなる蓋体等を設ける必要がないため、全体構成を簡略化して製造コストを抑えることが可能となる。
【００４８】
すなわち、第３実施形態に係る取り分け具用スタンド１´は、アウター部材５２の背面開口５３にフランジ部５４が形成されることにより、アウター部材５２の背面開口５３に別部品からなる蓋体等のストッパを設けることなく、アウター部材５２内に収納されたインナー部材６０の意図しない抜け出しを防止することが可能となる。また、このようにフランジ部５４を設けるとアウター部材５２の背面開口５３が狭まるため、アウター部材５２内にインナー部材６０を挿入することが困難となるが、アウター部材５２の上面にインナー部材６０の通過を許容する切り欠き５６が形成されることにより、図１０に示すように、インナー部材６０の挿入を容易に行うことが可能となる。さらに、このような微妙なクリアランスによってアウター部材５２に対するインナー部材６０の挿脱を可能としているため、収納空間１４´内にトングが挿入された状態、すなわち取り分け具用スタンド１´の使用中においては、アウター部材５２からインナー部材６０を取り出すことができないよう構成されている。
【００４９】
［その他の代替例］
上述した第１〜第３実施形態の説明では、食料品を取り分けるために使用される取り分け具として、トング６を例に挙げて説明したが、これに限定されず、食料品を取り分け可能なものであればいかなるものであっても良く、例えば、スプーン、フォーク若しくはおたま等であっても良い。
【００５０】
また、上述した第１〜第３実施形態の説明では、蓋部材が挿入口に回動可能に軸支され、自重により回動するものとして説明したが、これに限定されず、取り分け具を収納本体から取り出すことにより挿入口を閉塞するよう構成されたものであれば、種々の構成を採用することが可能である。例えば、蓋部材を閉じ方向に付勢するバネ等の付勢手段が設けられる構成としても良いし、スライド式の蓋部材としても良い。
【００５１】
さらに、上述した第１〜第３実施形態の説明では、１つの取り分け具用スタンドに複数の取り分け具をストック可能であるものとして説明したが、これに限定されず、１つの取り分け具のみをストック可能な構成、すなわち、１つの取り分け具用スタンドに挿入口及び収納空間が１つのみ形成される構成としても良い。また、挿入口及び収納空間が同数形成される構成に限定されず、例えば、複数の挿入口が共通する収納空間に連通する構成としても良い。
【００５２】
またさらに、上述した第１〜第３実施形態の説明では、例えばスーパーマーケットやデパート等の食品売り場に設置された対面ケース等の載置台２の近傍に設けられて使用されるものであるとして説明したが、これに限定されず、食料品を載置する載置台の近傍に設けられて使用されるものであればいかなる施設に設置されても良く、例えば、所謂バイキング等のセルフサービス形式のレストラン等に設置される載置台の近傍に設けられて使用されても良い。
【００５３】
また、上述した第１〜第３実施形態の説明では、取り分け具用スタンドの収納本体が載置台近傍の台上に直置きされる直置きタイプを例示したが、これに限定されず、地面上に置かれる土台から上方へ向けて延びる支柱の上端部に収納本体が取り付けられる構成など、種々の構成を採用することが可能である。
【符号の説明】
【００５４】
１，１´  取り分け具用スタンド
４  食料品
６  トング（取り分け具）
１０，１０´，５０  収納本体
１２，１２´  挿入口
１３  フランジ部
１４，１４´  収納空間
２０，７０  蓋部材、
３０  開口側部材、
４０  収納側部材
【図１】
2020058405.tif 000003
【図２】
2020058405.tif 000004
【図３】
2020058405.tif 000005
【図４】
2020058405.tif 000006
【図５】
2020058405.tif 000007
【図６】
2020058405.tif 000008
【図７】
2020058405.tif 000009
【図８】
2020058405.tif 000010
【図９】
2020058405.tif 000011
【図１０】
2020058405.tif 000012
【図１１】
2020058405.tif 000013
【図１２】
2020058405.tif 000014
【図１３】
2020058405.tif 000015
【図１４】
2020058405.tif 000016